(57)【特許請求の範囲】
【請求項１】
移送台１により移送中の育苗容器２に上方から床土または覆土を供給する土繰出し装置１０を、前記移送台１の上方位置に設け、該土繰出し装置１０の供給ホッパ１１の前記育苗容器２の移送方向の左右何れか一方側の側方に、前記土繰出し装置１０の供給ホッパ１１に土を補給するバケット２８を有するバケットコンベア２０を設け、該バケットコンベア２０の上部には、前記バケット２８が反転して放擲した土を誘導する誘導装置４０を設け、該誘導装置４０は、育苗容器２の移送方向と交差する方向に、前記供給ホッパ１１に土補給中往復回動する可動誘導板４２を設けて構成し、前記可動誘導板４２は、前記バケットコンベア２０の上部回転軸２３の回転をリンク機構４６により伝動して育苗容器２の移送方向と交差する方向に往復回動するように構成した土供給装置。
【請求項２】
請求項１において、前記可動誘導板４２と前記バケット２８とは、可動誘導板４２の往復動開始位置とバケット２８の放擲位置とが同期しない構成とした土供給装置。
【請求項３】
請求項１において、前記バケットコンベア２０の上部回転軸２３には出力歯車４７を設け、該出力歯車４７には別途設けた伝達軸４８の一端の歯車４９との間にチエン５０を掛け回し、前記伝達軸４８の他端にはリンク機構４６の一部を構成するアーム５１の基部を取付け、該アーム５１の先端にはロッド５２の基部を取付け、該ロッド５２の先端にはアーム５４の先端側を取付け、該アーム５４の基部は取付軸４５に固定し、前記アーム５１と前記ロッド５２と前記アーム５４により前記リンク機構４６を構成し、前記取付軸４５には前記可動誘導板４２を固定し、前記取付軸４５は前記フレーム２１側に回転自在に軸装した土供給装置。
【請求項４】
請求項３において、前記出力歯車４７と前記歯車４９との歯数の関係は、バケット２８の放擲位置と可動誘導板４２の往復動開始位置とが同期しないように設定した土供給装置。
【請求項５】
請求項１ないし請求項４のいずれか一項において、前記バケットコンベア２０のフレーム２１、２１の下部の、前記バケット２８の回転上昇側には篩土を張込む張込ホッパー３０を設け、該張込ホッパー３０には着脱自在の土補給装置３１を設け、前記フレーム２１、２１の下部の、前記バケット２８の回転下降側には前記土繰出し装置１０より落下する篩土を回収して前記張込ホッパー３０に戻す回収戻し装置３５を設けた土供給装置。
【発明の詳細な説明】
【技術分野】
【０００１】
本発明は、土供給装置に係るものである。
【背景技術】
【０００２】
従来、移送台により移送中の育苗容器に上方から床土または覆土を供給する土繰出装置を、前記移送台の上方位置に設け、該土繰出装置の供給ホッパの前記育苗容器の移送方向の左右何れか一方側の側方に、前記土繰出装置の供給ホッパに土を補給するバケットを有するバケットコンベアを設け、該バケットコンベアの上部には育苗容器の移送方向と交差する方向となる供給ホッパの幅方向に、前記バケットが放出した土を育苗容器の移送方向に誘導する誘導樋を設けた構成は、公知である（特許文献１）。
【先行技術文献】
【特許文献】
【０００３】
【特許文献１】特開平０６−２５３６８６号公報
【発明の概要】
【発明が解決しようとする課題】
【０００４】
前記公知例は、バケットコンベアを土繰出装置に接近させて操作性を向上させることを目的として、バケットコンベアから排出した土を、一旦、そのまま、育苗容器の移送方向と交差する方向（供給ホッパの幅方向）に放出し、この土を直角に曲げて育苗容器の移送方向に誘導する誘導樋を設けているが、単に、交差方向の誘導板から移送方向の誘導樋に略直角に曲げて誘導するだけであるから、多くの土は移送方向と平行の誘導樋に当たってから方向を変えることになり、その結果、供給ホッパの幅方向の、バケットコンベアから離れた側に多く土が誘導されるという課題がある。
本願は、土繰出装置の供給ホッパの幅方向に、土が均等に供給されるように工夫し、しかも、供給ホッパ内の供給された土の粒径が片寄るのを抑制したものである。
【課題を解決するための手段】
【０００５】
本発明は、移送台１により移送中の育苗容器２に上方から床土または覆土を供給する土繰出し装置１０を、前記移送台１の上方位置に設け、該土繰出し装置１０の供給ホッパ１１の前記育苗容器２の移送方向の左右何れか一方側の側方に、前記土繰出し装置１０の供給ホッパ１１に土を補給するバケット２８を有するバケットコンベア２０を設け、該バケットコンベア２０の上部には、前記バケット２８が反転して放擲した土を誘導する誘導装置４０を設け、該誘導装置４０は、育苗容器２の移送方向と交差する方向に、前記供給ホッパ１１に土補給中往復回動する可動誘導板４２を設けて構成し、前記可動誘導板４２は、前記バケットコンベア２０の上部回転軸２３の回転をリンク機構４６により伝動して育苗容器２の移送方向と交差する方向に往復回動するように構成した土供給装置としたものである。
本発明は、前記可動誘導板４２と前記バケット２８とは、可動誘導板４２の往復動開始位置とバケット２８の放擲位置とが同期しない構成とした土供給装置としたものである。
本発明は、前記バケットコンベア２０の上部回転軸２３には出力歯車４７を設け、該出力歯車４７には別途設けた伝達軸４８の一端の歯車４９との間にチエン５０を掛け回し、前記伝達軸４８の他端にはリンク機構４６の一部を構成するアーム５１の基部を取付け、該アーム５１の先端にはロッド５２の基部を取付け、該ロッド５２の先端にはアーム５４の先端側を取付け、該アーム５４の基部は取付軸４５に固定し、前記アーム５１と前記ロッド５２と前記アーム５４により前記リンク機構４６を構成し、前記取付軸４５には前記可動誘導板４２を固定し、前記取付軸４５は前記フレーム２１側に回転自在に軸装した土供給装置としたものである。
本発明は、前記出力歯車４７と前記歯車４９との歯数の関係は、バケット２８の放擲位置と可動誘導板４２の往復動開始位置とが同期しないように設定した土供給装置としたものである。
本発明は、前記バケットコンベア２０のフレーム２１、２１の下部の、前記バケット２８の回転上昇側には篩土を張込む張込ホッパー３０を設け、該張込ホッパー３０には着脱自在の土補給装置３１を設け、前記フレーム２１、２１の下部の、前記バケット２８の回転下降側には前記土繰出し装置１０より落下する篩土を回収して前記張込ホッパー３０に戻す回収戻し装置３５を設けた土供給装置としたものである。
【発明の効果】
【０００６】
請求項１および請求項２の発明では、可動誘導板４２が育苗容器２の移送方向と交差する方向に往復回動するので、土繰出し装置１０の供給ホッパ１１内に供給される土は育苗容器２の移送方向と交差する方向において略均平に供給することができ、しかも、可動誘導板４２から落下する土の距離は略同じなので土の粒径の相違による飛散距離の相違も抑制することができ、供給ホッパ１１内の土の量および粒径の分布の均等化を向上させることができる。
また、可動誘導板４２をバケットコンベア２０の上部回転軸２３の回転をリンク機構４６により伝動して往復回動させるので、別途駆動源を必要とせず、簡素な構成で供給ホッパ１１内の土の量および粒径の分布の均等化を向上させることができる。
請求項３の発明では、前記リンク機構４６を簡素に構成して、供給ホッパ１１内の土の量および粒径の分布を均等化率を向上させることができる。
請求項４の発明では、バケット２８の放擲位置と可動誘導板４２の往復動開始位置とを同期させないので、供給ホッパ１１の所定位置にのみ落下するのを防止でき、そのため、育苗容器２の移送方向と交差する方向において万遍なく落下し、供給ホッパ１１内の土の量および粒径の分布の均等化を向上させることができる。
請求項５の発明では、供給ホッパ１１内の土の量および粒径の分布を均等化させるバケットコンベア２０でありながら、育苗容器２に入らない土を回収できる。
【図面の簡単な説明】
【０００７】
【図１】移送台と土繰出装置とバケットコンベアの斜視図。
【図２】同正面断面図。
【図３】誘導装置の側面図。
【図４】同側面図。
【図５】同分解斜視図。
【図６】同正面図。
【図７】同平面図。
【図８】土の落下状態説明図。
【発明を実施するための最良の形態】
【０００８】
図により本発明の一実施例を説明すると、１は移送台であり、育苗容器２を始端部から終端部へ向けて移送する移送手段３を設けている。該移送手段３は移送ベルトまたは移送ロール等により適宜構成する。
移送台１の上方には床土または覆土を供給する土繰出し装置１０を設ける。土繰出し装置１０は公知構造であり、上部に供給ホッパ１１を設け、供給ホッパ１１の下方に前記育苗容器２の移送方向と平行に回転する供給ベルト１２（図２、図８）等を設けて構成している。
【０００９】
前記土繰出し装置１０の移送方向下手側には供給した土を均平する回転均平ブラシ１５を設けている。
前記土繰出し装置１０の側方には、土繰出し装置１０の供給ホッパ１１に土を補給するバケットコンベア２０を設ける。バケットコンベア２０は、前記育苗容器２の移送方向と平行に一対のフレーム２１、２１を設け、フレーム２１、２１の上部にはコンベア用モーター２２を設ける。
【００１０】
該コンベア用モーター２２の回転はフレーム２１、２１の上部に設けた上部回転軸２３に直接または間接的に伝達する。フレーム２１、２１の下部には上部回転軸２３と対となる下部回転軸２４を軸装し、上部回転軸２３に固定のスプロケット２５と下部回転軸２４に固定のスプロケット２６との間に無端チエン２７を巻回し、該無端チエン２７の外周には篩土を上昇させる複数のバケット２８を所定間隔を置いて取付けて構成する。
【００１１】
前記フレーム２１、２１の下部の、前記バケット２８の回転上昇側には篩土を張込む張込ホッパー３０を設け、張込ホッパー３０には着脱自在の土補給装置３１を設ける。土補給装置３１は補給ホッパー３２の下方に補給搬送ベルト３３を設けて構成する。
前記フレーム２１、２１の下部の、前記バケット２８の回転下昇側には前記土繰出し装置１０より落下する篩土を回収する回収戻し装置３５を設ける。前記回収戻し装置３５は、前記土補給装置３１と同様に、上方に回収用ホッパー３６を設け、回収用ホッパー３６の下方に戻し搬送ベルト３７を設けて構成する。
【００１２】
しかして、前記バケットコンベア２０の上部には、前記上部回転軸２３の位置にて反転したバケット２８が放擲した土を、前記供給ホッパ１１に誘導する誘導装置４０を設ける（図１，図２では他の構成の理解を容易にするため、誘導装置４０の構成を一部省略している）。
誘導装置４０は、前記フレーム２１に設けた傾斜角度固定の固定傾斜誘導板４１と、固定傾斜誘導板４１に対して先端が上下回動（首振り）する可動誘導板４２とを有して構成する。
固定傾斜誘導板４１および可動誘導板４２は、共に、供給ホッパ１１に向うに従い低く傾斜させる。
【００１３】
可動誘導板４２は、先端を上下回動させて、育苗容器２の移送方向に対する交差方向（左右方向）、即ち、供給ホッパ１１内の幅方向における土の量および土の粒径の分布を均等にさせる。
即ち、単に、バケットコンベア２０から交差方向に放出された土の流下方向を、直角に育苗容器２の移送方向に曲げても、バケットコンベア２０から離れた側の壁に多くの土が当たって誘導されるから、供給ホッパ１１内の幅方向のバケットコンベア２０から離れた側に多くの土が片寄って供給されるが、本願では、固定傾斜誘導板４１の先に、先端が上下回動する可動誘導板４２を設けて誘導装置４０を構成しているので、可動誘導板４２の先端が上下回動して供給ホッパ１１内の幅方向に均等に土を落下させる。
【００１４】
また、可動誘導板４２の先端が上下回動するので、そのときの可動誘導板４２から落下する土の飛散距離は略同じとなって、土の粒径の相違による飛散距離の相違も抑制することができ、粒の大きな土であってもバケットコンベア２０から遠い側に落下させ、粒の小さな土もバケットコンベア２０の近い側に落下させ、供給ホッパ１１内の幅方向における土の粒径を揃えさせられる。
【００１５】
可動誘導板４２の先端を上下回動させる構成は任意であるが、一例を示すと、可動誘導板４２の基部を固定傾斜誘導板４１またはフレーム２１に取付軸４５により回動自在に取付ける。
また、可動誘導板４２と上部回転軸２３の間にリンク機構４６を介して連結し、上部回転軸２３の駆動回転をリンク機構４６により往復運動に変換して、可動誘導板４２を回動させる。
【００１６】
前記上部回転軸２３には出力歯車４７を設け、出力歯車４７には別途設けた伝達軸４８の一端の歯車４９との間にチエン５０を掛け回す。伝達軸４８の他端にはリンク機構４６の一部を構成するアーム５１の基部を取付ける。アーム５１の先端にはロッド５２の基部を軸５３により取付け、ロッド５２の先端にはアーム５４の先端側を軸５５により取付け、アーム５４の基部は取付軸４５に固定し、取付軸４５には前記可動誘導板４２に設けた取付部５６を固定し、取付軸４５はフレーム２１に設けたスティ５７に回転自在に軸装する。
【００１７】
この場合、出力歯車４７と歯車４９との歯数の関係は、バケット２８の放擲位置と可動誘導板４２の往復動開始位置とが同期しないように設定する。
そのため、バケット２８により土が放擲されてから可動誘導板４２内に入るタイミングを、バケット２８毎に僅かにずらすことができ、可動誘導板４２が供給ホッパ１１内の幅方向で落下させる土の片寄りを防止する。
【００１８】
即ち、バケット２８による土の放擲と可動誘導板４２の往復動を同期させると、同じタイミングで常時バケット２８から可動誘導板４２内に土が入り、可動誘導板４２は常時同じ場所に一定量の土を落下させることになって、バケット２８とバケット２８の間のタイミングでは土の落下量が減ってしまって、供給ホッパ１１内の土の上面は育苗容器２の移送方向と交差する方向に上下に波打つようになり、その分、土の粒径が片寄ることになるが、本願ではこれを防止する。
【００１９】
換言すると、例えば、可動誘導板４２の一往復する時間と前記バケット２８が固定傾斜誘導板４１の基部を通過する数は略一致させて供給量を略一定にする。
そして、可動誘導板４２は往復動している間土の排出は続くが、そのまま図示すると複雑になるので、図８では理解を容易にするため、可動誘導板４２の往路移動中のバケット２８（Ａ〜Ｄ）と、往路移動中のバケット２８（Ａ’〜Ｄ’）を対比させて土が落下するタイミングを模式的に図示している。
【００２０】
図８では、可動誘導板４２の往路で４個のバケット２８（Ａ〜Ｄ）の放擲した土がＡ，Ｂ，Ｃ，Ｄの位置に落下するが、復路でも次の４個のバケット２８が放擲するがこの土の落下の図示を省略し、次の４個のバケット２８（Ａ’，Ｂ’，Ｃ’，Ｄ’）の放擲した土がＡ’，Ｂ’，Ｃ’と少しずつ遅れ（早く）て落下し、Ｄ’は復路での落下となり、これを反復して、落下タイミングは常時少しずつずれれる構成とし、土が供給ホッパ１１内の同じ場所に落ちるのを防止し、供給ホッパ１１内の幅方向に均等に土を供給する
（なお、図８は均等供給の模式図であり、これにより構成は限定されない。）
【００２１】
また、アーム５１と伝達軸４８の取付位置を変更すると、バケット２８の放擲位置に対する可動誘導板４２の回動開始位置を変更することができる。
また、アーム５４には長孔６０を形成し、前記軸５５の位置を変更自在に取付け、ロッド５２とアーム５４との位置関係を調節しうるようにしている。
軸５５をアーム５４の基部に近づけると、可動誘導板４２のストロークが大きくなり、軸５５をアーム５４の基部から遠くさせると、可動誘導板４２のストロークを小さくする。
【００２２】
前記取付軸４５は、上行きと下行きの無端チエン２７の間の上部回転軸２３の下方のフレーム２１、２１に軸装し、無端チエン２７との干渉を避けている。
また、実施例では、前記固定傾斜誘導板４１と可動誘導板４２の夫々に左右側板と天板を有するカバー６３とカバー６４の夫々を取り付けている。
また、回収戻し装置３５は回転均平ブラシ１５が掃き戻した回収土を受け入れる関係で土繰出し装置１０と回転均平ブラシ１５との間の中間位置に配置するので、固定傾斜誘導板４１は土繰出し装置１０の供給ホッパ１１に対して幾分移送方向下手側に位置させることになるので、前記可動誘導板４２の左端縁は先端に至るに従い移送方向下手側に位置するように傾斜させ、これに合わせて前記カバー６４の左側板６５を先端に至るに従い移送方向下手側に位置させている。
【００２３】
（実施例の作用）
張込ホッパー３０に篩土を投入し、コンベア用モーター２２に通電すると、コンベア用モーター２２の回転により上部スプロケット２５を回転させ、下部スプロケット２６との間に巻回した無端チエン２７を回転させるから、バケット２８は上昇して張込ホッパー３０内の篩土を揚上させ、最上位置でバケット２８は反転して篩土を移送台２の育苗箱移送方向と交差する方向に投擲し、放擲された土は誘導装置４０の固定傾斜誘導板４１に入り、固定傾斜誘導板４１から可動誘導板４２に入り、可動誘導板４２から土繰出し装置１０の供給ホッパ１１に供給される。
【００２４】
この場合、可動誘導板４２は先端が上下動するように構成されているから、前記バケットコンベア２０の上端でバケット２８が反転して放擲した土は可動誘導板４２により誘導されて、供給ホッパ１１の手前から奥側まで育苗箱移送方向と交差する方向となる供給ホッパ１１の幅方向に万遍なく落下する。
そのため、育苗箱移送方向と交差する方向における土の粒径の分布を揃えさせられ、育苗容器２の苗の成長に差が生じることはない。
【００２５】
しかも、可動誘導板４２は、育苗箱移送方向と交差する方向に往復回動するので、土繰出し装置１０の供給ホッパ１１内の幅方向に略均等に土を供給する。
この点でも、育苗箱移送方向と交差する方向の土の粒径を揃えられる。
可動誘導板４２の基部には取付軸４５を固定し、取付軸４５は固定傾斜誘導板４１またはフレーム２１に回転自在に軸装し、可動誘導板４２は取付軸４５の軸心中心に回動自在となる。
【００２６】
上部回転軸２３回転が出力歯車４７と歯車４９とチエン５０により伝達軸４８に伝達され、伝達軸４８はアーム５１を伝達軸４８中心に回転させ、ロッド５２はアーム５１の回転運動を往復運動に変換してアーム５４を回動させ、アーム５４は取付軸４５を正逆回転させて可動誘導板４２を育苗箱移送方向と交差する方向（供給ホッパ１１の幅方向）に往復回動させる。
また、回収戻し装置３５は回転均平ブラシ１５が掃き戻した回収土を受け入れる関係で、バケットコンベア２０を育苗容器２の移送方向の土繰出し装置１０と回転均平ブラシ１５との間の中間位置に配置しているため、固定傾斜誘導板４１は土繰出し装置１０の供給ホッパ１１に対して幾分移送方向下手側に位置させることになる。
【００２７】
そのため、可動誘導板４２の左端縁は先端に至るに従い移送方向下手側に位置するように傾斜させ、これに合わせて前記カバー６４の左側板６５を先端に至るに従い移送方向下手側に位置させているので、可動誘導板４２は土繰出し装置１０の供給ホッパ１１に確実に土を供給する。
【符号の説明】
【００２８】
１…移送台  、２…育苗容器  、１０…土繰出し装置、１１…供給ホッパ、１２…供給ベルト、１５…回転均平ブラシ、２０…バケットコンベア、２１…フレーム、２２…コンベア用モーター、２３…上部回転軸、２４…下部回転軸、２５…スプロケット、２６…スプロケット、２７…無端チエン、２８…バケット、３０…張込ホッパー、３１…土補給装置、３２…補給ホッパー、３３…補給搬送ベルト、３５…回収戻し装置、３６…回収用ホッパー、３７…戻し搬送ベルト、４０…誘導装置、４１…固定傾斜誘導板、４２…可動誘導板、４５…取付軸、４６…リンク機構、４７…出力歯車、４８…伝達軸、４９…歯車、５０…チエン、５１…アーム、５２…ロッド、５３…軸、６４…アーム、５５…軸、５６…取付部、５７…スティ、６０…長孔、６３…カバー、６４…カバー、６５…左側板。
【図１】
0005599179.tif 000002
【図２】
0005599179.tif 000003
【図３】
0005599179.tif 000004
【図４】
0005599179.tif 000005
【図５】
0005599179.tif 000006
【図６】
0005599179.tif 000007
【図７】
0005599179.tif 000008
【図８】
0005599179.tif 000009